(57)【要約】【課題】本発明は、第１のパネルと第２のパネルとの位置合わせを容易に行うことができ、第１および第２のパネルを積層する際の作業性を向上できる電子機器を得ることにある。【解決手段】電子機器は、開口部(16)を有する筐体(8)と、筐体(8)内に収容された第１のパネル(20)と、第１のパネル(20)に積層されて、開口部(16)から筐体(8)の外に露出された第２のパネル(21)と、第２のパネル(21)の外周部に固定された板金製の保持部材(40)とを備えている。保持部材(40)は、第２のパネル(21)を第１のパネル(20)に積層した時に、第１のパネル(20)の外周部に係合することで、第１のパネル(20)と第２のパネル(21)との相対的な位置合わせを実行する。【選択図】      図３
2009128725.tif 000002
【特許請求の範囲】
【請求項１】
開口部を有する筐体と、
上記筐体内に収容された第１のパネルと、
上記第１のパネルに積層され、上記開口部から上記筐体の外に露出される第２のパネルと、
上記第２のパネルの外周部に固定され、上記第２のパネルを上記第１のパネルに積層した時に、上記第１のパネルの外周部に係合することで上記第１のパネルと上記第２のパネルとの相対的な位置合わせを実行する板金製の保持部材と、を具備することを特徴とする電子機器。
【請求項２】
請求項１の記載において、上記第１および第２のパネルは、夫々四つの縁部を含む四角い形状を有し、上記保持部材は、上記第２のパネルの少なくとも一つの縁部に沿って延びる本体と、この本体の外周縁に形成されて、上記第１のパネルの少なくとも一つの縁部に係合する係合片とを有することを特徴とする電子機器。
【請求項３】
請求項２の記載において、上記第２のパネルは、上記第１のパネルと向かい合う面を有し、上記保持部材の本体は、上記面の外周部に固定されて、上記第１のパネルと上記第２のパネルとの間に介在されていることを特徴とする電子機器。
【請求項４】
請求項３の記載において、上記保持部材の本体は、両面接着テープを介して上記第２のパネルに固定されていることを特徴とする電子機器。
【請求項５】
請求項４の記載において、上記保持部材の本体は、上記第１および第２のパネルの周囲に張り出す複数の固定片を有し、これら固定片が夫々固定具を介して上記筐体に固定されていることを特徴とする電子機器。
【請求項６】
請求項５の記載において、上記第２のパネルは、情報を入力する感圧式のタッチスクリーンであり、このタッチスクリーンは、情報を入力するための入力領域を有し、上記保持部材の本体は、上記入力領域から外れていることを特徴とする電子機器。
【請求項７】
請求項６の記載において、上記保持部材の本体は、上記第２のパネルの四つの縁部に対応する四つの片を含む四角い枠状に形成されていることを特徴とする電子機器。
【請求項８】
開口部と、この開口部と向かい合う支持壁とを有する筐体と、
上記筐体内に収容されて、上記筐体の支持壁に固定された第１のパネルと、
上記第１のパネルに積層され、上記開口部から上記筐体の外に露出される第２のパネルと、
上記第２のパネルの外周部に固定された板金製の保持部材と、を具備し、
上記保持部材は、上記第２のパネルを上記第１のパネルに積層した時に、上記第１のパネルの外周部に係合することで上記第１のパネルと上記第２のパネルとの相対的な位置合わせを実行する係合片と、上記第１のパネルと一緒に上記筐体の保持壁に固定具を介して固定される固定片とを備えることを特徴とする電子機器。
【請求項９】
請求項８の記載において、上記第１および第２のパネルは、夫々四つの縁部を含む四角い形状を有し、上記保持部材は、上記第２のパネルの少なくとも一つの縁部に沿って延びる本体を有し、この本体に上記係合片および上記固定片が形成されているとともに、上記本体は、両面接着テープを介して上記第２のパネルに固定されていることを特徴とする電子機器。
【請求項１０】
請求項９の記載において、上記保持部材の本体は、上記第１のパネルと上記第２のパネルとの間に介在されていることを特徴とする電子機器。
【請求項１１】
請求項１０の記載において、上記筐体は、上記支持壁から突出する座部を有し、上記第１のパネルは、その外周部から第１のパネルの周囲に張り出すことで上記座部に重なり合う支持片を有し、上記保持部材の固定片は、上記支持壁に重なり合うことを特徴とする電子機器。
【請求項１２】
請求項１１の記載において、上記固定具はねじであり、このねじは、上記固定片および上記支持片を貫通して上記筐体の座部にねじ込まれることを特徴とする電子機器。
【発明の詳細な説明】
【技術分野】
【０００１】
本発明は、例えば液晶表示パネルの上にタッチスクリーンあるいはデジタイザのような入力パネルを積層した電子機器に係り、特に電子機器の筐体の内部に液晶表示パネルと入力パネルとを互いに積層した状態で収容するための構造に関する。
【背景技術】
【０００２】
例えば手書き文字認識機能を有するポータブルコンピュータは、タッチスクリーンあるいはデジタイザのような透明な入力パネルを備えている。入力パネルは、液晶表示パネルの表示面の上に積層されているとともに、この液晶表示パネルと一緒に筐体の内部に収容されている。
【０００３】
入力パネルは、指先あるいはスタイラスペンで文字や図形等の情報を入力するための入力領域を有している。入力領域は、筐体の開口部を通じてポータブルコンピュータの外に露出されている。そのため、ポータブルコンピュータを操作するオペレータは、入力パネルを透過して視認される表示面を見ながら入力操作を行なうようになっている。
【０００４】
従来のポータブルコンピュータによると、入力パネルは、液晶表示パネルの表示面の上に接着剤あるいは接着テープを介して貼り付けられている。しかしながら、表示面の上に直接入力パネルを貼り付けてしまうと、液晶表示パネルと入力パネルとを分離させることが困難となる。そのため、液晶表示パネルあるいは入力パネルを保守する際の作業性が悪くなるのを否めない。
【０００５】
このことから、例えば特許文献１に開示されたポータブルコンピュータでは、液晶表示パネルと入力パネルとを、保持部材を介して互いに積層した状態に保持している。保持部材は、例えば合成樹脂のような可撓性を有する材料により形成されている。
【０００６】
保持部材は、液晶表示パネルの外周縁部を包み込むように保持する第１の保持部と、入力パネルの外周縁部を包み込むように保持する第２の保持部とを有している。第１および第２の保持部は、液晶表示パネルと入力パネルとの積層方向に沿って互いに重なり合うように一体化されている。
【特許文献１】特開２００４−１２６１７号公報
【発明の開示】
【発明が解決しようとする課題】
【０００７】
特許文献１に開示された構成によると、液晶表示パネルと入力パネルとを互いに積層するに当っては、保持部材の第１の保持部を弾性的に変形させて、この第１の保持部に液晶表示パネルの外周縁部を嵌め込むとともに、第２の保持部を弾性的に変形させて、この第２の保持部に入力パネルの外周縁部を嵌め込む必要がある。
【０００８】
このため、保持部材に液晶表示パネルと入力パネルとを個々に組み付けなければならず、二つのパネルを積層する際の作業に手間を要する。
【０００９】
しかも、保持部材は、液晶表示パネルおよび入力パネルを互いに保持し得るだけの強度を必要とする。このため、保持部材を合成樹脂製とした場合に、第１および第２の保持部の肉厚が厚くなるのを避けられない。
【００１０】
したがって、液晶表示パネルおよび入力パネルを取り囲む保持部材のボリュームが増えてしまい、筐体の内部に保持部材を収容する広いスペースを確保する必要が生じてくる。よって、保持部材が筐体の薄型化を妨げる一つの要因となり、この点において今一歩改善の余地が残されている。
【００１１】
本発明の目的は、第１のパネルと第２のパネルとの位置合わせを容易に行うことができ、第１および第２のパネルを積層する際の作業性を向上できる電子機器を得ることにある。
【課題を解決するための手段】
【００１２】
上記目的を達成するため、本発明の一つの形態に係る電子機器は、  
開口部を有する筐体と、  
上記筐体内に収容された第１のパネルと、  
上記第１のパネルに積層され、上記開口部から上記筐体の外に露出される第２のパネルと、  
上記第２のパネルの外周部に固定された板金製の保持部材と、を備えており、  
上記保持部材は、上記第２のパネルを上記第１のパネルに積層した時に、上記第１のパネルの外周部に係合することで上記第１のパネルと上記第２のパネルとの相対的な位置合わせを実行することを特徴としている。
【発明の効果】
【００１３】
本発明によれば、保持部材が固定された第２のパネルを第１のパネルに重ねるだけの作業で、第１および第２のパネルの位置合わせを行うことができ、作業性を向上できる。
【発明を実施するための最良の形態】
【００１４】
以下本発明の実施の形態を図面に基づいて説明する。
【００１５】
図１は、電子機器の一例であるポータブルコンピュータ１を開示している。ポータブルコンピュータ１は、本体ユニット２とディスプレイユニット３とを備えている。
【００１６】
本体ユニット２は、フラットな上面４ａを有する箱状の第１の筐体４を含んでいる。第１の筐体４は、例えばＣＰＵが実装された図示しないプリント回路板や光学ドライブ５を収容している。第１の筐体４の上面４ａにキーボード６が配置されている。
【００１７】
ディスプレイユニット３は、第２の筐体８と液晶表示モジュール９とを備えている。第２の筐体８は、偏平な箱状であり、第１の筐体４と略同じ大きさを有している。第２の筐体８は、ディスプレイカバー１０とディスプレイマスク１１とで構成されている。
【００１８】
図２ないし図４に示すように、ディスプレイカバー１０は、四角い支持壁１２と、この支持壁１２の四つの外周縁から起立する周壁１３とを有している。ディスプレイマスク１１は、四角い前壁１４と、この前壁１４の四つの外周縁から起立する周壁１５とを有している。ディスプレイカバー１０とディスプレイマスク１１とは、周壁１３，１５を突き合せることで互いに連結されている。ディスプレイマスク１１の前壁１４は、ディスプレイカバー１０の支持壁１２と向かい合う開口部１４を有している。
【００１９】
第２の筐体８は、第１の筐体４の上面に後端部にヒンジ装置１７を介して連結されている。ヒンジ装置１７は、水平な第１の回動軸線Ｘと、第１の回動軸線Ｘと直交する第２の回動軸線Ｙとを有している。第２の筐体８は、第１の回動軸線Ｘを中心に閉じ位置と開き位置との間で回動可能となっている。閉じ位置では、第２の筐体８は、キーボード６を上方から覆うように第１の筐体４の上に横たわる。開き位置では、第２の筐体８は、キーボード６を露出させるように第１の筐体４の後端部から起立する。
【００２０】
さらに、第２の筐体８は、開き位置に回動された状態において、起立した第２の回動軸線Ｙを中心に第１の反転位置と第２の反転位置との間で１８０°回動可能となっている。第１の反転位置では、第２の筐体８は、開口部１４をポータブルコンピュータ１の前方に向けた姿勢で起立する。第２の反転位置では、第２の筐体８は、開口部１４をポータブルコンピュータ１の背後に向けた姿勢で起立する。
【００２１】
そのため、第１および第２の回動軸線Ｘ，Ｙを有するヒンジ装置１７によれば、開き位置に保持された第２の筐体８を第１の反転位置から第２の反転位置に向けて１８０°回動させた後、この第２の筐体８を開き位置から閉じ位置に向けて回動させることができる。この回動により、第２の筐体８は、開口部１４を上向きにした姿勢で第１の筐体４の上に横たわり、手書き入力に好適する形態に移行する。
【００２２】
図３および図４に示すように、本実施の形態の液晶表示モジュール９は、液晶表示パネル２０、感圧式のタッチスクリーン２１およびデジタイザ２２を備えている。
【００２３】
液晶表示パネル２０は、第１のパネルの一例である。液晶表示パネル２０は、四つの外周部２３（図３および図４に一つのみを図示）を有する四角い形状であり、第２の筐体８よりも一回り小さなサイズを有している。外周部２３は、液晶表示パネル２０の周囲に露出するフラットな周面２３ａを含んでいる。周面２３ａは、液晶表示パネル２０の厚み方向に延びている。
【００２４】
液晶表示パネル２０は、文字や図形等の情報を表示する表示面２４と、この表示面２４の反対側に位置する背面２５とを備えている。液晶表示パネル２０は、表示面２４をディスプレイマスク１１の開口部１６に向けるとともに、背面２５をディスプレイカバー１０の支持壁１２に向けた姿勢で第２の筐体８の内部に収容されている。
【００２５】
図２および図４に示すように、液晶表示パネル２０は、第１ないし第４の支持片２６ａ，２６ｂ，２６ｃ，２６ｄを有している。第１および第２の支持片２６ａ，２６ｂは、液晶表示パネル２０の右側の外周部２３から液晶表示パネル２０の右側方に張り出している。第３および第４の支持片２６ｃ，２６ｄは、液晶表示パネル２０の左側の外周部２３から液晶表示パネル２０の左側方に張り出している。第１ないし第４の支持片２６ａ，２６ｂ，２６ｃ，２６ｄに夫々通孔２７が形成されている。
【００２６】
さらに、ディスプレイカバー１０の支持壁１２は、四つの座部２８（図４に一つのみを図示）を備えている。座部２８は、液晶表示パネル２０の第１ないし第４の支持片２６ａ，２６ｂ，２６ｃ，２６ｄに対応している。座部２８は、支持壁１２の内面からディスプレイマスク１１の前壁１４に向けて突出している。各座部２８にねじ孔２９が形成されている。ねじ孔２９は、座部２８の先端面に開口している。
【００２７】
タッチスクリーン２１は、第２のパネルの一例である。タッチスクリーン２１は、液晶表示パネル２０と略同じサイズの透明基板３１を含んでいる。図５に示すように、透明基板３１は、第１ないし第４の縁部３２ａ，３２ｂ，３２ｃ，３２ｄを有する四角い板状をなしている。
【００２８】
さらに、透明基板３１は、第１の面３３と、第１の面３３の反対側に位置する第２の面３４とを備えている。図２および図５に示すように、透明基板３１の第１の面３３の上に、例えば指先で触れることで入力操作を実行する四角形の入力領域３５が規定されている。入力領域３５は、第１の面３３の大部分を占有しており、この入力領域３５を含む第１の面３３の上に多数の透明電極（図示せず）が設けられている。
【００２９】
タッチスクリーン２１は、液晶表示パネル２０の表示面２４の上に積層されている。この積層により、タッチスクリーン２１の第２の面３４が液晶表示パネル２０の表示面２４と向かい合う。
【００３０】
図５および図６に示すように、透明基板３１の第４の縁部３２ｄの中央にフレキシブル配線板３６の一端が接続されている。フレキシブル配線板３６は、透明電極に電気的に接続されている。フレキシブル配線板３６の他端は、液晶表示パネル２０の背後に導かれるとともに、この液晶表示パネル２０の背面２５に固定された図示しない制御基板に接続されている。
【００３１】
デジタイザ２２は、タッチスクリーン２１の入力領域３５を図示しない電磁式のスタイラスペンで触れた時に手書き入力を認識するためのものである。このデジタイザ２２は、液晶表示パネル２０の背面２５に接着等の手段により固定されている。
【００３２】
したがって、本実施の形態の液晶表示モジュール９は、指先による入力操作およびスタイラスペンを用いた入力操作のいずれにも対応し得るようになっている。
【００３３】
図３ないし図６に示すように、タッチスクリーン２１の第２の面３４に板金製の保持部材４０が取り付けられている。保持部材４０は、本体４１を備えている。本実施の形態の本体４１は、第１ないし第４の辺４２ａ，４２ｂ，４２ｃ，４２ｄを含む四角い枠状をなしている。第１ないし第４の辺４２ａ，４２ｂ，４２ｃ，４２ｄは、夫々透明基板３１の第１ないし第４の縁部３２ａ，３２ｄ，３２ｃ，３２ｄに沿って直線状に延びるフラットな帯状をなしている。
【００３４】
本体４１の第１ないし第４の辺４２ａ，４２ｂ，４２ｃ，４２ｄは、両面接着テープ４３を介して透明基板３１の第２の面３４の外周部に固定されている。このため、本体４１は、透明基板３１の第２の面３４の方向から入力領域３５を取り囲んでいる。それとともに、本体４１は、タッチスクリーン２１を液晶表示パネル２０に積層した時に、タッチスクリーン２１と液晶表示パネル２０との間に介在されるようになっている。
【００３５】
本体４１の第１ないし第４の辺４２ａ，４２ｂ，４２ｃ，４２ｄの外周縁に夫々係合片４４が形成されている。係合片４４は、第１ないし第４の辺４２ａ，４２ｂ，４２ｃ，４２ｄの外周縁から液晶表示パネル２０に向けて直角に折り曲げられている。係合片４４は、タッチスクリーン２１を液晶表示パネル２０の上に積層した時に、液晶表示パネル２０の外周部２３の周面２３ａに外側から被さるように係合する。
【００３６】
さらに、本体４１の右側部を規定する第１の辺４２ａに一対の固定片４５ａ，４５ｂが形成されている。同様に、本体４１の左側部を規定する第２の辺４２ｂに一対の固定片４６ａ，４６ｂが形成されている。固定片４５ａ，４５ｂ，４６ａ，４６ｂは、タッチスクリーン２１を液晶表示パネル２０の上に積層した時に、液晶表示パネル２０の第１ないし第４の支持片２６ａ，２６ｂ，２６ｃ，２６ｄの上に重なり合う。さらに、各固定片４５ａ，４５ｂ，４６ａ，４６ｂは、貫通孔４７を有している。貫通孔４７は、第１ないし第４の支持片２６ａ，２６ｂ，２６ｃ，２６ｄの通孔２７と合致する。
【００３７】
図２および図４に示すように、液晶表示パネル２０の第１ないし第４の支持片２６ａ，２６ｂ，２６ｃ，２６ｄは、固定具としてのねじ４８を介してディスプレイカバー１０に固定されている。ねじ４８は、固定片４５ａ，４５ｂ，４６ａ，４６ｂに開けた貫通孔４７および第１ないし第４の支持片２６ａ，２６ｂ，２６ｃ，２６ｄに開けた通孔２７を連続して貫通するとともに、座部２８のねじ孔２９にねじ込まれている。
【００３８】
このねじ込みにより、第１ないし第４の支持片２６ａ，２６ｂ，２６ｃ，２６ｄおよび固定片４５ａ，４５ｂ，４６ａ，４６ｂが、ねじ４８の頭部４８ａと座部２８の先端面との間で挟み込まれる。
【００３９】
したがって、保持部材４０は、液晶表示パネル２０やタッチスクリーン２１と一緒にディスプレイカバー１０の支持壁１２に固定されている。この結果、液晶表示モジュール９が第２の筐体８の内部に保持されるとともに、タッチスクリーン２１の入力領域３５がディスプレイマスク１１の開口部１６から第２の筐体８の外に露出される。
【００４０】
さらに、タッチスクリーン２１の第１の面３３の外周部は、ディスプレイマスク１１の前壁１４によって覆われている。前壁１４と基板３１の第１の面３３の外周部との間にスペーサ５０が介在されている。スペーサ５０は、ディスプレイマスク１１の開口部１６の開口縁がタッチスクリーン２１の第１の面３３に触れないように、ディスプレイマスク１１とタッチスクリーン２１の第１の面３３との間の間隔を維持するためのものである。スペーサ５０は、例えばスポンジのような柔軟な材料により形成されて、ディスプレイマスク１１の前壁１４の内面に貼り付けられている。
【００４１】
次に、液晶表示モジュール９を第２の筐体８に組み込む手順について説明する。
【００４２】
最初に、タッチスクリーン２１の第２の面３４の外周部に両面接着テープ４３を介して保持部材４０の本体４１を固定する。この状態で、タッチスクリーン２１の第２の面３４が液晶表示パネル２０の表示面２４と向かい合うように、タッチスクリーン２１を液晶表示パネル２０の上に積層する。この積層により、保持部材４０の本体４１から直角に折れ曲がる係合片４４が液晶表示パネル２０の外周部２３の四つの周面２３ａに被さるように係合する。
【００４３】
この結果、液晶表示パネル２０に対するタッチスクリーン２１の位置合わせが実行され、液晶表示パネル２０の表示面２４とタッチスクリーン２１の入力領域３５とが精度よく合致する。
【００４４】
液晶表示パネル２０の上にタッチスクリーン２１を積層した状態では、保持部材４０の四つの固定片４５ａ，４５ｂ，４６ａ，４６ｂが液晶表示パネル２０の第１ないし第４の支持片２６ａ，２６ｂ，２６ｃ，２６ｄの上に重なり合う。それとともに、固定片４５ａ，４５ｂ，４６ａ，４６ｂの貫通孔４７が第１ないし第４の支持片２６ａ，２６ｂ，２６ｃ，２６ｄの通孔２７と合致する。
【００４５】
次に、タッチスクリーン２１が積層された液晶表示パネル２０をディスプレイカバー１０の支持壁１２の上に載置して、液晶表示パネル２０の第１ないし第４の支持片２６ａ，２６ｂ，２６ｃ，２６ｄを座部２８の先端面の上に重ね合わせる。
【００４６】
この状態で、ねじ４８を固定片４５ａ，４５ｂ，４６ａ，４６ｂの貫通孔４７から第１ないし第４の支持片２６ａ，２６ｂ，２６ｃ，２６ｄの通孔２７を通して座部２８のねじ孔２９にねじ込む。このねじ込みにより、ねじ４８の頭部４８ａと座部２８の先端面との間で固定片４５ａ，４５ｂ，４６ａ，４６ｂおよび第１ないし第４の支持片２６ａ，２６ｂ，２６ｃ，２６ｄが挟み込まれる。
【００４７】
この結果、液晶表示モジュール９がディスプレイカバー１０の支持壁１２に固定される。最後にディスプレイカバー１０にディスプレイマスク１１を被せることで、第２の筐体８に対する液晶表示モジュール９の組み付け作業が完了する
このような構成によれば、保持部材４０が固定されたタッチスクリーン２１を液晶表示パネル２０の表示面２４の上に積層すると、保持部材４０の係合片４４が液晶表示パネル２０の外周部２３の四つの周面２３ａに係合する。この係合により、液晶表示パネル２０に対するタッチスクリーン２１の位置が精度よく定まる。
【００４８】
したがって、保持部材４０が接着されたタッチスクリーン２１を液晶表示パネル２０の上に重ねるだけの簡単な作業で、タッチスクリーン２１と液晶表示パネル２０との相互の位置合わせを行うことができる。よって、液晶表示モジュール９をディスプレイカバー１０の支持壁１２に組み付ける際の作業性が向上する。
【００４９】
しかも、液晶表示パネル２０の第１ないし第４の支持片２６ａ，２６ｂ，２６ｃ，２６ｄと、タッチスクリーン２１に接着された保持部材４０の固定片４５ａ，４５ｂ，４６ａ，４６ｂとは、ねじ４８を介してディスプレイカバー１０の座部２８に一緒に固定される。このため、液晶表示パネル２０およびタッチスクリーン２１を一度にディスプレイカバー１０に組み込むことができ、この点でも液晶表示モジュール９の組み立て性の向上に寄与する。
【００５０】
さらに、図３に示すように、保持部材４０の本体４１は、タッチスクリーン２１の第１ないし第４の縁部３２ａ，３２ｂ，３２ｃ，３２ｄを包み込んでおらず、単に入力領域３５を取り囲むようにタッチスクリーン２１の第２の面３４に接着されているに止まっている。さらに、保持部材４０の係合片４４にしても、液晶表示パネル２０の外周部２３を包み込むものではなくて、単に液晶表示パネル２０の周面２３に被さるように引っ掛かるに止まっている。
【００５１】
加えて、本体４１はフラットな枠状であるから、本体４１が液晶表示パネル２０とタッチスクリーン２１との間に介在されるにしても、液晶表示パネル２０とタッチスクリーン２１との間に本体４１を収める広いスペースを確保する必要はない。
【００５２】
そのため、保持部材４０が強度を確保し易い金属製であることと合わせて、保持部材４０が液晶表示パネル２０とタッチスクリーン２１との積層方向および液晶表示モジュール９の周囲に大きく張り出すことはない。よって、保持部材４０の存在によって液晶表示モジュール９の厚み寸法が増大するのを防止でき、第２の筐体８を薄くコンパクトに形成することができる。
【００５３】
本発明は、上記実施の形態に特定されるものではなく、発明の主旨を逸脱しない範囲内で種々変更して実施できる。
【００５４】
保持部材は、四角い枠状に形成することに限定されるものではない。例えば、保持部材を透明基板の第１の縁部および第２の縁部に沿って直線状に延びる一対の帯状部材によって構成し、各帯状部材に係合片および固定片を形成するようにしてもよい。これら帯状部材は、個々に透明基板に接着することが望ましい。
【００５５】
さらに、液晶表示パネルの上に積層するパネルは、タッチスクリーンに限らず、液晶表示パネルの表示面を保護する透明な保護板あるいはプライバシーフィルターであってもよい。
【００５６】
加えて、本発明に係る電子機器は、開閉可能なディスプレイユニットを有するポータブルコンピュータに限定されず、例えば本体ユニットの上面にタブレットを配置したペン入力タイプの電子機器でも同様に実施可能である。
【図面の簡単な説明】
【００５７】
【図１】本発明の実施の形態に係るポータブルコンピュータの斜視図。
【図２】本発明の実施の形態において、ディスプレイカバーに液晶表示モジュールを固定した状態を示す平面図。
【図３】図２のF3-F3線に沿う断面図。
【図４】図２のF4-F4線に沿う断面図。
【図５】本発明の実施の形態において、タッチスクリーンに保持部材を固定した状態をタッチスクリーンの入力面の方向から見た斜視図。
【図６】本発明の実施の形態において、タッチスクリーンに保持部材を固定した状態をタッチスクリーンの背面の方向から見た斜視図。
【符号の説明】
【００５８】
８…筐体（第２の筐体）、１２…支持壁、１４…開口部、２０…第１のパネル（液晶表示パネル）、２１…第２のパネル（タッチスクリーン）、４０…保持部材、４４…係合片、４５ａ，４５ｂ，４６ａ，４６ｂ…固定片。
【図１】
2009128725.tif 000003
【図２】
2009128725.tif 000004
【図３】
2009128725.tif 000005
【図４】
2009128725.tif 000006
【図５】
2009128725.tif 000007
【図６】
2009128725.tif 000008